(57)【特許請求の範囲】
【請求項１】
記録媒体に情報記録可能なカメラであって、
発光装置を発光させる発光指令を出力する指令手段と、
画像記録のために所定の時間にわたって開状態を維持するシャッタ機構と、
前記シャッタ機構のシャッタ開放動作後の第１のタイミングで前記指令手段を起動せしめるノーマルシンクロモードと、前記シャッタ機構のシャッタ閉動作の前であって前記第１のタイミングとは異なる第２のタイミングで前記指令手段を起動せしめるリアシンクロモードとを切換え設定するモード設定手段と、
前記第１のタイミングに応じた第１の時刻情報、前記第２のタイミングに応じた第２の時刻情報を計時して出力する計時手段と、
前記ノーマルシンクロモード時には前記第１の時刻情報を、前記リアシンクロモード時には前記第２の時刻情報を前記記録媒体に記録するデータ記録手段とを備えたことを特徴とするカメラのデータ記録装置。
【請求項２】
請求項１記載のカメラのデータ記録装置において、
前記データ記録手段は、前記第１の時刻情報を記録するタイミングと、前記第２の時刻情報を記録するタイミングが異なることを特徴とするカメラのデータ記録装置。
【請求項３】
請求項２記載のカメラのデータ記録装置において、
前記データ記録媒体の種類に応じてデータ記録手段の記録時間を変更可能とし、
前記データ記録手段によるデータ記録のタイミングを、ノーマルシンクロモードでは前記指令手段の発光指令送出時に設定し、リアシンクロモードでは前記指令手段の指令信号送出時よりも前記データ記録手段の記録時間に依存した時間分だけ早くなるように設定したことを特徴とするカメラのデータ記録装置。
【請求項４】
請求項３記載のカメラのデータ記録装置において、
前記データ記録媒体の種類情報とは、撮影フィルムの感度情報であることを特徴とするカメラのデータ記録装置。
【請求項５】
請求項１記載のカメラのデータ記録装置において、
前記第１の時刻情報および第２の時刻情報を記憶する記憶手段を有し、
前記データ記録手段は、前記記憶手段に記憶された情報を前記記録媒体に記録することを特徴とするカメラのデータ記録装置。
【請求項６】
請求項１または請求項５記載のカメラのデータ記録装置において、
前記記録媒体は撮影フィルム上に設けられた磁気記録媒体であり、
前記データ記録手段は、前記磁気記録媒体に前記時刻情報を磁気的に記録することを特徴とするカメラのデータ記録装置。
【請求項７】
請求項１または請求項５記載のカメラのデータ記録装置において、
前記記録媒体は電気的に情報記録可能な媒体であり、
前記データ記録手段は、前記記録媒体に前記時刻情報を電気的に記録することを特徴とするデータ記録装置。
【発明の詳細な説明】
【０００１】
【発明の属する技術分野】
本発明はカメラのデータ記録装置に関し、特に発光装置を備えたカメラにおいて撮影時における時刻データを含む種々の撮影情報データを記録するデータ記録時期を変更可能に構成するデータ記録時期変更装置を備えているデータ記録装置に関する。
【０００２】
【従来の技術】
従来から被写体像を記録する撮像装置であるカメラにおいて、その記録や被写体像に関連する何らかのデータ（撮影情報）を記録するデータ記録装置を備えたものが知られている。たとえばデータバックと呼ばれるカメラ用アクセサリでは、撮影時における日付や撮影時間のような日時（時刻）情報データ、さらに撮影時における露出値等の撮影情報を被写体像上や近傍に記録することができる。このようにすれば、撮影後に現像したネガや焼付け写真を整理する際に便利である。
【０００３】
また、カメラ等に用いるカメラ用アクセサリとして従来一般的なものに、スピードライトまたはストロボと呼ばれる発光装置が知られている。この発光装置は、カメラ本体に着脱自在に装着されるか、あるいは内蔵され、カメラのレリーズ操作に伴うシャッタ機構の動作に連動するスイッチのオン状態によって発光して被写体を照射するものであり、主に被写体からの光が少ない夜間撮影時に使用されることが多い。
【０００４】
このような発光装置の発光タイミングとしては、シャッタ機構のシャッタ全開直後においてスイッチをオン状態にするノーマルシンクロモード（いわゆる先幕シンクロモード）と、シャッタ機構のシャッタ閉動作の所定の時間前にスイッチをオン状態にするリアシンクロモード（いわゆる後幕シンクロモード）とに大別される。
【０００５】
通常のストロボ撮影においては、ノーマルシンクロモードに設定することによって被写体に発光装置（ストロボ）からの光が照射されるため、一般には光量不足となるような環境下でも良好な写真が得られる。
しかし、動きのある被写体をストロボ撮影するにあたって、上述したノーマルシンクロモードによるストロボ撮影を行った場合には、シャッタが開いている時間内においてきわめて初期の段階で発光が行われるため、明確に写った被写体像の動作方向における前側部分のみに光の残像が写る一般的には不自然な写真となる。
【０００６】
これに対し、リアシンクロモードにより同等の条件下でストロボ撮影を行った場合には、シャッタが開いている時間内においてきわめて後期の段階で発光が行われるため、明確に写った被写体像の後側部分に被写体像の残像の写り込んだ動体写真としてきわめて自然な写真となる。
しかし、このようなリアシンクロモードも万能なものではなく、シャッタ秒時が比較的長い場合には、レリーズ操作のタイミングと発光装置の発光タイミングとに時間差いわゆるタイムラグが生じ、撮影者の意図するタイミングで明確な被写体像を得られない場合もある。
【０００７】
したがって、ストロボ撮影を行う際に、その撮影状況に合わせて上述した両シンクロモードを切換え設定可能なカメラが現在では一般的となっている。
【０００８】
【発明が解決しようとする課題】
しかし、上述したようなデータ記録装置と二種類のシンクロモードを設定可能なストロボ装置とを備えている従来のカメラでは、通常、これらの装置は何らの関連もなく設定されていた。すなわち、従来のカメラでは、通常、データ記録を実行するタイミングはストロボ発光用シンクロスイッチのオン動作のタイミングには何ら関連なく設定されていた。
【０００９】
たとえばデータ記録装置による写し込みによるデータ記録時間は、低感度のフィルムの場合にはその感度に対応して比較的長い時間が必要になる。このような長いデータ記録時間が撮影後におけるフィルム給送の動作開始を遅延させることのないように、写し込みによるデータ記録タイミングは、できるだけ早め、通常はレリーズ操作タイミングとほぼ同時に設定することが一般的である。
【００１０】
このため、ストロボ装置がノーマルシンクロモードであるときには、ストロボ発光のタイミングと写し込みによるデータ記録のタイミングとのずれはほぼレリーズ操作時のタイムラグのみであるから、長くても１００ミリセカンド程度となり、撮影時刻とデータ記録のタイミングにはそれほどの差とはならず、たとえデータ記録の内容に日時（時刻）情報の記録が含まれていたとしても全く問題はない。
すなわち、従来は、シンクロモードがノーマルモードであるか、リアモードであるかには無関係に、同じ日時（時刻）情報を写し込みによる記録データとしていた。
【００１１】
しかし、ストロボ装置がリアシンクロモードであるときには、特に長時間露光の場合、レリーズ操作タイミングでデータ記録を行うと、所定の長時間露光の終了直前でストロボ発光が行われるため、発光による被写体の記録とデータ記録のタイミングにほぼ長時間露光に伴う時間の分だけの差を生じることになる。このことは、日時（時刻）情報をデータ記録している場合には写真上でのストロボ発光による被写体の記録時刻とデータ記録の時刻とに食い違いを生じることであり、以下のような場合に不都合である。
【００１２】
すなわち、写真上での被写体の状況とデータ記録の時刻とが正確に一致することが求められている、たとえば学術的な用途に使用される写真や証拠写真、さらには動きのある物体を流し撮りした写真などの場合には、上述したデータ記録の時刻が写真上での被写体とほぼ一致することが求められている。
【００１３】
従来の写し込みによるデータ記録によれば、特にリアシンクロモードの設定時においてストロボの発光時刻と写し込み時刻とが異なることから、上述したように実用面から問題であり、このような点に配慮した何らかの対策を講じることが望まれている。
【００１４】
さらに、このような撮影時の日時（時刻）情報のデータ記録を行う際の問題は、上述した光学的な写し込みによるデータ記録を行うデータ記録装置を備えている３５ｍｍフィルムを用いたスチルカメラに限らず、ＡＰＳ（アドバンストフォトシステム）と称される新システムフィルムを用いたＡＰＳスチルカメラのように、２４ｍｍフィルム上の磁気記録部に情報を磁気記録するカメラや、電気的情報記録媒体を備えこれに電気的情報記録を行う電子スチルカメラにおいても、記録すべき日時（時刻）情報データがノーマルシンクロモードとリアシンクロモードとで同じであれば同様に問題となるものであり、このような点にも配慮することが望まれている。
【００１５】
本発明はこのような事情に鑑みてなされたものであり、ストロボ発光がノーマルシンクロモードであってもリアシンクロモードであっても、その発光による被写体像の記録時刻とデータ記録される記録時刻とをほぼ一致させることが可能となるカメラのデータ記録装置を得ることを目的とする。
【００１６】
【課題を解決するための手段】
このような目的に応えるために本発明に係るカメラのデータ記録装置は、記録媒体に情報記録可能なカメラであって、発光装置を発光させる発光指令を出力する指令手段と、画像記録のために所定の時間にわたって開状態を維持するシャッタ機構と、このシャッタ機構のシャッタ開放動作後の第１のタイミングで前記指令手段を起動せしめるノーマルシンクロモードと前記シャッタ機構のシャッタ閉動作の前であって前記第１のタイミングとは異なる第２のタイミングで前記指令手段を起動せしめるリアシンクロモードとを切換え設定するモード設定手段と、前記第１のタイミングに応じた第１の時刻情報、前記第２のタイミングに応じた第２の時刻情報を計時して出力する計時手段と、前記ノーマルシンクロモード時には前記第１の時刻情報を、前記リアシンクロモード時には前記第２の時刻情報を前記記録媒体に記録するデータ記録手段とを備えたものである。
【００１７】
また、本発明に係るカメラのデータ記録装置は、前記データ記録手段を、前記第１の時刻情報を記録するタイミングと、前記第２の時刻情報を記録するタイミングとが異なるように構成したものである。
さらに、本発明に係るカメラのデータ記録装置は、前記データ記録媒体の種類に応じてデータ記録手段の記録時間を変更可能とし、前記データ記録手段によるデータ記録のタイミングを、ノーマルシンクロモードでは前記指令手段の発光指令送出時に設定し、リアシンクロモードでは前記指令手段の指令信号送出時よりも前記データ記録手段の記録時間に依存した時間分だけ早くなるように設定したものである。ここで、前記データ記録媒体の種類情報とは、たとえば撮影フィルムの感度情報である。
【００１８】
また、本発明に係るカメラのデータ記録装置は、前記第１の時刻情報および第２の時刻情報を記憶する記憶手段を有し、この記憶手段に記憶した情報を、前記データ記録手段により前記記録媒体に記録するように構成したものである。
【００１９】
さらに、本発明に係るカメラのデータ記録装置は、前記記録媒体として撮影フィルム上に設けられた磁気記録媒体を用い、この磁気記録媒体に前記データ記録手段により前記時刻情報を磁気的に記録するように構成したものである。
また、本発明に係るカメラのデータ記録装置は、前記記録媒体として電気的に情報記録可能な媒体を用い、この記録媒体に前記データ記録手段により前記時刻情報を電気的に記録するように構成したものである。
【００２０】
本発明によれば、モード設定手段による設定がノーマルシンクロモードであるかリアシンクロモードであるかによって、データ記録手段によるデータ記録のタイミングを異ならせたりすることによりデータ記録情報を異ならせることから、発光装置の発光による被写体像の記録時刻とデータ記録の記録時刻とを、ノーマルシンクロモードでもリアシンクロモードでもほぼ同時とすることができる。
【００２１】
さらに、本発明によれば、リアシンクロモードに設定されている場合であって、しかも写し込みによるデータ記録時間が長くなる場合においても、撮影後のフィルム給送の開始タイミングを不必要に遅らせる必要がない。
【００２２】
データ記録装置を備えたカメラとは、３５ｍｍフィルムを用いるスチルカメラ、ＡＰＳを呼ばれる新タイプの２４ｍｍフィルムを用いるカメラであってフィルム上の磁気記録部に情報を磁気記録するスチルカメラ、電気的情報記録媒体に電気的に情報の記録を行う電子スチルカメラのいずれであってもよい。
【００２３】
データ記録プログラムを記録した記録媒体とは、たとえば磁気ディスク、半導体メモリ、その他の記録媒体があるが、そのいずれであってもよい。また、このデータ記録プログラムは、上述した記録媒体からカメラ内のＣＰＵにインストールあるいは読込まれるものであって、この装置の動作を制御するものであればよい。
【００２４】
【発明の実施の形態】
図１および図２は本発明に係るカメラのデータ記録装置を磁気記録装置とシンクロモードを切換え可能なストロボ装置とを備えたスチルカメラに適用した一つの実施の形態を示すものである。これらの図において、図１はこのデータ記録装置の回路構成を示すブロック図である。
【００２５】
図１において、符号１０はカメラ内の各機構回路を制御するためのＣＰＵで、このＣＰＵ１０を含めたカメラ内の各機構回路の作動は全て電池１１からの給電によって行われる。
前記ＣＰＵ１０には、カメラのレリーズ操作に伴ってオン・オフするレリーズスイッチ１２からの信号が入力される。このレリーズスイッチ１２は、カメラの図示しないレリーズ釦の押圧操作によってオンされ、撮影動作を起動するスイッチである。
【００２６】
また、ＣＰＵ１０には、カメラに装備したストロボ（図示せず）のシンクロモードをノーマルシンクロモードまたはリアシンクロモードに切換えるノーマル・リア切換えスイッチ１３およびＸ接点スイッチ１４からの信号が入力される。
前記ノーマル・リア切換えスイッチ１３は二者択一構造のスイッチであり、一方に切換えられた場合にはノーマルシンクロモードを、他方に切換えられた場合にはリアシンクロモードを選択するものである。
【００２７】
Ｘ接点スイッチ１４は後述するシャッタ制御回路１７により制御されるシャッタの先幕に連動するスイッチであり、先幕が全開（開放）した時点でオンとなるように構成される。
【００２８】
さらに、ＣＰＵ１０にはＩＳＯ感度設定回路１５からのフィルム感度情報が入力される。この情報とはデータ記録媒体の種類情報であって、たとえば手動または自動設定されるカメラに装填した被写体像の記録媒体である撮影フィルムの感度情報を示す。
また、前記ＣＰＵ１０には、シャッタ制御回路１６、ミラー制御回路１７、チャージ回路１８、フィルム給送回路１９、ストロボ制御回路２０、データバック制御回路２１が接続されている。
【００２９】
そして、前記ＣＰＵ１０から出力される信号にしたがって、シャッタ制御回路１６によりシャッタ（フォーカルプレンシャッタ機構）の先幕、後幕の幕走行制御を、ミラー制御回路１７によりミラーおよび絞りの制御を、チャージ回路１８によりミラーダウン、絞りのリセット、シャッタのチャージを、フィルム給送回路１９によりフィルム給送制御を行う。
【００３０】
また、ＣＰＵ１０に接続したストロボ制御回路２０は、ストロボ（図示せず）に信号を送信することによりその発光を制御する発光指令を出力する指令手段である。
さらに、ＣＰＵ１０に接続したデータバック制御回路２１は、撮影日時などの情報の書込みを行うデータバック（データ記録装置）に信号を送信することにより、データ記録媒体（たとえば被写体像を記録する記録媒体である撮影フィルム）へのデータ記録を行う。
【００３１】
ここで、このようなデータ記録装置は、カメラ内部に設けられているものでもよいし、データバックのようにカメラに着脱可能に取付けられるものであってもよい。
データバック（データ記録装置）は、現在日時（時刻）情報を計時する図示しないタイマ（計時手段）を具備しており、データ記録装置は、このタイマから出力された日時（時刻）情報をデータ記録媒体（撮影フィルム）に光学的に写し込むことにより記録可能に構成されている。
【００３２】
図２は上述したカメラ内のＣＰＵ１０においてのデータ記録（データを撮影フィルム上に光学的に写し込んでいる写し込みによるデータ記録）およびストロボ撮影を実行する撮影の場合のレリーズシーケンスに関する制御ルーチンを示すフローチャートである。
このルーチンはＣＰＵ１０に給電が行われている間、繰り返し実行されるもので、以下にその動作の説明を行う。
【００３３】
ステップＳ１はレリーズスイッチ（レリーズＳＷ）１２の状態、すなわち図示しないレリーズ釦が押圧操作されたか否かを判断する。押圧されている場合にはステップＳ２に進み、押されていない場合にはこのルーチンを終える。
ステップＳ２では写し込み記録時間Ｔｄを読み込む。この写し込み記録時間Ｔｄは図１のＩＳＯ感度設定回路１５によるフィルムのＩＳＯ感度に対応したもので、低感度ほど長い時間に設定されている。
【００３４】
ステップＳ３ではシャッタ秒時Ｔｓを読み込む。このシャッタ秒時Ｔｓは不図示のシャッタ秒時手動設定装置またはシャッタ秒時自動設定装置により決定されるものである。
ステップＳ４ではＣＰＵ１０内の時間カウントの基準となる計時手段となるタイマ（図示せず）をスタートさせる。
【００３５】
ステップＳ５では図１のミラー制御回路１７を制御してミラーアップの開始、絞り込みの開始を行う。
ステップＳ６ではノーマル・リア切換えスイッチ１３の状態を判断する。このスイッチ１３がリアシンクロモードに設定されている場合にはステップＳ１８に分岐し、ノーマルシンクロモードに設定されている場合にはステップＳ７に進む。
【００３６】
ステップＳ７では図１のデータバック制御回路２１に信号を送信し、ＩＳＯ感度情報によって決定される所定の時間だけデータ記録動作を行う。
ステップＳ８ではタイマによってカウントされている時間がレリーズタイムラグＴｒに達したか否かを判定する。達しない場合には達するまでステップＳ８を実行し続け、達した時点でステップＳ９に進む。
ステップＳ９では図１のシャッタ制御回路１６を制御し、シャッタ先幕を走行させる。
【００３７】
ステップＳ１０では図１のＸ接点スイッチ１４がオンしたか否かを判定する。オンしない場合にはオンになるまでステップＳ１０を実行し続け、オンになった時点でステップＳ１１に進む。
ステップＳ１１では図１のストロボ制御回路２１を制御してストロボに信号を送り発光させる。
【００３８】
ステップＳ１２ではタイマによるカウント時間Ｔが「レリーズタイムラグＴｒ＋シャッタ秒時Ｔｓ」に達したか否かを判定する。達しない場合には達するまでステップＳ１２を実行し続け、達した時点でステップＳ１３に進む。
ステップＳ１３では図１のシャッタ制御回路１６を制御し、シャッタ後幕を走行させて所定の露光を完了させる。
ステップＳ１４では図１のチャージ回路１８を制御し、ミラーダウンおよび絞りのリセットを行う。
【００３９】
ステップＳ１５では同じく図１のチャージ回路１８を制御し、シャッタのチャージを行う。
ステップＳ１６では図１のフィルム給送回路２０を制御してフィルムの給送動作を実行する。
ステップＳ１７ではステップＳ４でカウントを開始させたタイマを終了させる。
【００４０】
前述したステップ６において、リアシンクロモードに設定されると判断されると、前述したようにステップＳ１８に進む。このステップＳ１８では、シャッタ秒時Ｔｓが「先幕速Ｔ２＋１」よりも小さいか否かを判定する。先幕速とは先幕の開状態の開始から全開までの時間である。また、１秒のマージンは通常ストロボの最大発光時間として使用される値である。もし判定結果がＹＥＳであればステップＳ７に分岐し、ＮＯであればステップＳ１９に進む。
【００４１】
ステップＳ１９ではデータバックの写し込み記録時間Ｔｄが「先幕走行開始時間Ｔ１＋シャッタ秒時Ｔｓ−１」よりも大きいか否かを判定する。ここで、先幕走行開始時間とは先幕マグネットがオフしてから実際にシャッタが開き始めるまでの時間である。もし判定結果がＹＥＳであればステップＳ７に分岐し、ＮＯであればステップＳ１９に進む。
ステップＳ２０ではタイマによってカウントされている時間がレリーズタイムラグＴｒに達したか否かを判定する。達しない場合には達するまでステップＳ２０を実行し続け、達した時点でステップＳ２１に進む。
【００４２】
ステップＳ２１では図１のシャッタ制御回路１６を制御し、シャッタ先幕を走行させる。
ステップＳ２２ではタイマによってカウントされている時間が「レリーズタイムラグＴｒ＋先幕走行開始時間Ｔ１＋シャッタ秒時Ｔｓ−１−写し込み記録時間Ｔｄ」に達したか否かを判定する。達しない場合には達するまでステップＳ２２を実行し続け、達した時点でステップＳ２３に進む。
【００４３】
ステップＳ２３では図１のデータバック制御回路２１に信号を送信し、ＩＳＯ感度情報によって決定される所定の時間だけデータ記録動作を行う。
ステップＳ２４ではタイマによってカウントされている時間が「レリーズタイムラグＴｒ＋先幕走行開始時間Ｔ１＋シャッタ秒時Ｔｓ−１」に達したか否かを判定する。達しない場合には達するまでステップＳ２４を実行し続け、達した時点でステップＳ１１に進む。
すなわち、リアシンクロモードに設定されているときには、Ｘ接点スイッチ１４のオン・オフの如何にかかわらず、計時手段であるタイマの出力結果に基づいて発光指令が出されてストロボの発光が行われるのである。
【００４４】
次に、実際の撮影時におけるストロボの発光およびデータバックによる記録データの写し込み動作について説明を行う。
（１）ノーマルシンクロモードに設定されている場合
図示しないレリーズ釦が押されレリーズスイッチ１２のオン状態が検出されると、ステップＳ１からステップＳ２、Ｓ３に進み、写し込み記録時間Ｔｄとシャッタ秒時Ｔｓを読み込む。また、ステップＳ４でタイマのカウントを開始した後、ステップＳ５でミラーアップを開始する。
【００４５】
ステップＳ６ではノーマルまたはリアシンクロモードの判定がなされるが、この場合はノーマルシンクロモードであるので、ステップＳ７以下を実行する。すなわちステップＳ７で即刻データの写し込みを実行する。
ステップＳ８でタイマの時間が所定のレリーズタイムラグに達した時、ステップＳ９で先幕マグネットをオフし先幕走行を開始させる。その後、ステップＳ１０でＸ接点スイッチ１４のオンを待ってステップＳ１１でストロボに発光指令を出す。
【００４６】
ステップＳ１２でタイマの時間がレリーズタイムラグＴｒ＋シャッタ秒時Ｔｓになった時点で、ステップＳ１３に進み後幕マグネットをオフし後幕走行を開始させる。これによって所定のシャッタ秒時Ｔｓの露光が完了する。
続いてステップＳ１４、Ｓ１５、Ｓ１６を実行し、ミラー、絞りのリセット、シャッタのチャージ、フィルム給送を行い、最後にタイマをオフ（リセット）して一連のレリーズシーケンスを終了する。
以上のように動作するため、この場合はシャッタ秒時Ｔｓに無関係にシャッタ先幕の全開直後にストロボの発光が実行され、通常のノーマルシンクロ撮影となる。
【００４７】
（２）リアシンクロモードに設定されている場合
リアシンクロモードに設定されている場合には、シャッタ秒時Ｔｓの値によって実行する動作が異なる。
始めに、シャッタ秒時Ｔｓが「先幕速Ｔ２＋１」よりも小さい場合について説明する。
ノーマルシンクロモード時と同様ステップＳ５までを実行した後、ステップＳ６ではノーマルまたはリアシンクロモードの判定がなされるが、この場合はリアシンクロモードであるから、ステップＳ１８に分岐して進む。
【００４８】
ステップＳ１８ではシャッタ秒時Ｔｓが「先幕速Ｔ２＋１」よりも小さいか否かの判定が行われるが、この場合はＹＥＳと判定されるため、ステップＳ７に戻り、以下ノーマルシンクロモードと同様の動作を実行する。
これは、「Ｔｓ＞Ｔ２＋１」の条件下では実用上ノーマルシンクロとリアシンクロの区別がないため、ノーマルシンクロモード時と同様の動作を行えばよいためである。
【００４９】
次に、シャッタ秒時Ｔｓが「先幕速Ｔ２＋１」以上であるが、写し込み記録時間Ｔｄが「先幕走行開始時間Ｔ１＋シャッタ秒時Ｔｓ−１」よりも大きい場合について説明する。
この場合は、ステップＳ５まで実行した後、ステップＳ６でステップＳ１８に分岐する。ステップＳ１８では「Ｔｓ≧Ｔ２＋１」であるのでステップＳ１９に進む。
ステップＳ１９ではＴｄが「Ｔ１＋Ｔｓ−１」より大きいか否かの判定が行われるが、これはＹＥＳであるのでステップＳ７に戻り、以下ノーマルシンクロモードと同様の動作を実行する。これは写し込み記録時間Ｔｄが長く、シャッタ先幕のスタートする前に写し込みを開始するような状況では、ノーマル、リアシンクロモードの発光タイミングに差があったとしても写し込みのタイミングはノーマルシンクロモードと同様に行っても実質的に発光タイミングと写し込みタイミングには差は少ないためにこのような処理としている。
【００５０】
最後に、シャッタ秒時Ｔｓが「先幕速Ｔ２＋１」以上であり、写し込み記録時間Ｔｄが「Ｔ１＋Ｔｓ−１」以下の場合について説明する。
この場合は、同様にステップＳ５まで実行した後、ステップＳ６でステップＳ１８に分岐する。ステップＳ１８では「Ｔｓ≧Ｔ２＋１」であるのでステップＳ１９に進む。
ステップＳ１９ではＴｄが「Ｔ１＋Ｔｓ−１」より大きいか否かの判定が行われるが、これはＮＯであるのでステップＳ２０に進む。
ステップＳ２０でタイマの時間が所定のレリーズタイムラグに達した時、ステップＳ２１で先幕マグネットをオフし先幕走行を開始させる。
【００５１】
ステップＳ２２は写し込み開始のタイミングを待つステップである。タイマのカウント時間Ｔが「Ｔｒ＋Ｔ１＋Ｔｓ−１−Ｔｄ」に達したか否かで判定する。これは簡単にいうと発光タイミングより写し込み記録時間Ｔｄだけ先に写し込み記録を開始させるということである。通常写し込み記録時間は数１０ミリセカンド必要であるため、発光タイミングと同時に行うとシャッタ閉後のに行われるフィルム給送開始時になっても写し込みによるデータ記録を終了していない場合が出てくるのを防止するためである。
【００５２】
ステップＳ２２で写し込みタイミングとなると、ステップＳ２３に進み、データ写し込みを実行する。
ステップＳ２４は発光開始のタイミングを待つステップである。タイマのカウント時間Ｔが「Ｔｒ＋Ｔ１＋Ｔｓ−１」に達したか否かで判定する。達した時にはステップＳ１１に進み、以下はノーマルシンクロモード時と同様にステップＳ１１でストロボを発光させ、ステップＳ１２、１３でシャッタを閉じ、ステップＳ１４、１５、１６でミラー、絞りのリセット、シャッタのチャージ、フィルム給送を実行し、最後にタイマをオフ（リセット）して一連のレリーズシーケンスを終了する。
【００５３】
上述したような本発明に係るカメラのデータ記録装置によれば、リアシンクロモードを使用して比較的長時間の露光とストロボ撮影を同時に実行するような状況において、ストロボ発光の光によって照明された主要被写体の撮影時刻とデータ写し込みの時刻とがほぼ一致するため、従来のものに比べて、より正確なデータ記録が可能となる。したがって、一般的な写真撮影のみならず、学術的な用途に使用される場合にも効果的である。
【００５４】
これを具体例をあげて以下に説明する。
夜間時においてのリアシンクロによるストロボ撮影、たとえば疾走する自動車をライトの軌跡を後部に残すように流し撮りする場合を考える。
ここで、このカメラでの露出時間を仮に５秒とする。また、写し込みによるデータ記録に要する時間は、一般的に使用されるフィルム感度では数十ミリセカンドであるので、仮に３０ミリセカンドとする。また、レリーズ操作のタイムラグを１００ミリセカンドとする。
【００５５】
このような条件下において、データ記録装置で秒までの時刻を記録するように設定したときには、従来のデータ記録装置ではストロボが発光し、自動車が鮮明に写し出された時刻の５秒足す１００ミリセカンド、すなわち５．１秒前の時刻が記録されることになり、不具合を生じる。しかし、本発明に係るデータ記録装置によれば、発光のわずか３０ミリセカンド前の時刻が記録されることになり、鮮明な写真に記録した時刻と記録時刻との差は事実上無視することができる。
【００５６】
さらに、本発明によれば、前記データ記録手段（２１）により写し込みによるデータ記録を行う装置において、リアシンクロモードであって、データ記録時間が長い場合においても、ノーマル、リアシンクロモードでの記録データを異ならしめ、データ記録情報として異なるタイミングでデータ記録を行うことによって、不必要に撮影後のフィルム給送開始タイミングを遅らせることがなくなる。
【００５７】
なお、上述した実施の形態では、光学的な写し込みによりデータ記録を行う場合について説明したが、本発明はこれに限定されるものではない。たとえばデータ記録方法としては、上述した光学的な写し込みによるデータ記録のほかに、撮影フィルム上に設けた磁気記録媒体に、磁気的に情報を記録するデータ記録装置も考えられる。
また、フィルムとは別の記録媒体（たとえば電気的に情報を保持する媒体、いわゆるメモリカード等）に情報を記録することも考えられる。
【００５８】
以下に、磁気的に情報を記録するカメラ、および電気的に情報を記録するカメラについて説明する。
図３は写し込み以外の記録方法でデータ記録を行う装置を示すブロック図であり、同図において前述した図１と同じ機能を果たすものについては同一符号を付し、ここでの説明は省略する。
【００５９】
同図において符号３３はタイマまたは計時手段としての計時回路であり、この計時回路３３は日時（時刻）を計時するものであって、ストロボが発光するタイミングにおける異なる日時（時刻）データを出力する。なお、この計時回路３３は、ＣＰＵ１０に内蔵されているものであってもよい。
前記計時回路３３から出力された日時（時刻）データは、ＣＰＵ１０内の電気的情報記録媒体（記憶手段）であるメモリ３２に一旦記憶される。
【００６０】
前記メモリ３２から記憶されたデータは、種々のタイミングでデータ記録回路３１に送られる。
このメモリ３２からデータ記録回路３１へのデータ転送タイミングとしては、フィルム上に磁気的に情報記録を行うカメラにおいては、撮影終了後であってかつフィルム給送前のタイミングが考えられる。
また、フィルムとは別の記録媒体に記録するカメラ（電気的情報保持媒体に情報記録するカメラ）としては、撮影終了後のタイミングや電源オフ動作に伴ったタイミングが考えられる。なお、上述した電気的情報保持媒体がカメラに着脱可能な場合には、この電気的記録媒体のカメラからの取出し動作時等が考えられる。
【００６１】
前記データ記録回路３１は、メモリ３２から転送されたデータを、記録媒体（フィルム上に設けた磁気記録媒体や電気的情報保持媒体であるメモリカード等）に記録する。
磁気的に情報を記録するカメラにおける記録媒体への情報記録タイミングとしては、撮影後になされるフィルムの一こま分のこま送り給送時やフィルム巻戻し時等が考えられる。
また、電気的に情報を記録するカメラにおける記録媒体への情報記録タイミングとしては、上述した撮影終了後のタイミング、電源オフ動作に伴ったタイミングがあり、さらにこの電気的記録媒体がカメラに着脱可能な場合にはこの電気的記録媒体のカメラからの取出し動作時等が考えられる。
【００６２】
磁気的に情報を記録するカメラや電気的に情報を記録するカメラの動作としては、前述した図２の一部を変えることにより適用することができる。
すなわち、磁気的に情報を記録するデータ記録装置を備えているカメラに関しては、図２においてステップＳ７とステップ２３とを削除する。そして、ステップＳ１１の時点で計時回路３３がストロボ発光タイミング時の日時（時刻）データを出力するようにすれば、図２のフローチャートは、そのまま磁気記録カメラにおける動作フローチャートとなる。ここで、メモリ３２からデータ記録回路３１へのデータ転送タイミングとしては、上述したようなタイミングが考えられる。
【００６３】
一方、電気的に情報を記録するデータ記録装置を備えているカメラに関しては、図２からステップＳ７、ステップ２３、ステップＳ１６とを削除する。そして、ステップＳ１１の時点で計時回路３３がストロボ発光タイミング時の日時（時刻）データを出力するようにすれば、図２のフローチャートがそのまま電子スチルカメラについての動作フローチャートとなる。ここで、メモリ３２からの計時回路３３からの第１の時刻情報と第２の時刻情報とのデータ記録回路３１へのデータ転送タイミング、およびデータ記録回路３１による記録媒体への第１、第２の時刻情報の情報記録タイミングとしては、上述したようなタイミングが考えられる。
【００６４】
なお、本発明は上述した実施の形態で説明した構造には限定されず、各部の形状、構造等を適宜変形、変更し得ることはいうまでもない。たとえば本発明を適用するカメラとしては、３５ｍｍフィルムを用いるスチルカメラや、ＡＰＳ（アドバンストフォトシステム）を呼ばれる新タイプの２４ｍｍフィルムを用いるカメラであってフィルム上の磁気記録部に情報を磁気記録するデータ記録装置を備えているスチルカメラは勿論、画像情報や撮影情報を情報記録部に記録するデータ記録装置を備えている電子スチルカメラであってもよい。
【００６５】
また、前述したデータ記録プログラムを記録した記録媒体としては、上述したデータ記録処理を、シンクロモードがノーマルシンクロまたはリアシンクロであるかによって制御するプログラムを実行するものであるが、その作用効果は明らかであり、ここでの具体的な説明は省略する。
【００６６】
【発明の効果】
以上説明したように本発明に係るカメラのデータ記録装置によれば、シンクロモードのモード設定手段による設定がノーマルシンクロモードであるかリアシンクロモードであるかによって、第１、第２の時刻情報という異なる記録データをデータ記録手段によりデータ記録するように構成しているから、以下に述べる優れた効果を奏する。
【００６７】
本発明によれば、発光装置の発光による被写体像の記録時刻とデータ記録の第１、第２の時刻情報（発光時刻データ）のような記録時刻とを、ノーマルシンクロモードでもリアシンクロモードでもほぼ同時とすることができる。たとえばリアシンクロモードを使用して比較的長時間の露光とストロボ撮影を同時に実行するような状況において、ストロボ発光の光によって照明された主要被写体の撮影時刻とデータ写し込みの時刻とがほぼ一致するため、従来のものに比べて、より正確なデータ記録が可能となる。したがって、一般的な写真撮影のみならず、動いている被写体を流し撮りする証拠写真としての撮影や学術的な用途に使用される場合にも効果がある。
【００６８】
特に、本発明によれば、被写体像を鮮明な写真に記録した時刻と異なる第１、第２の時刻情報によるデータ記録記録時刻との差が事実上無視することができる程度の写真を得ることができる。
さらに、本発明によれば、リアシンクロモードであって、データ記録時間が長い場合においても、不必要に撮影後のフィルム給送開始タイミングを遅らせることがなくなる。
【図面の簡単な説明】
【図１】  本発明に係るカメラのデータ記録装置の一つの実施の形態でのカメラ全体の回路構成を示すブロック図である。
【図２】  ＣＰＵの実際の撮影の際のレリーズシーケンスに関する制御ルーチンを示すフローチャートである。
【図３】  本発明に係るカメラのデータ記録装置の別の実施の形態を示すカメラ全体の回路構成を説明するためのブロック図である。
【符号の説明】
１０…ＣＰＵ（指令手段）、１１…電池、１２…レリーズスイッチ、１３…ノーマル・リア切換えスイッチ（モード設定手段）、１４…Ｘ接点スイッチ、１５…ＩＳＯ感度設定回路（撮影フィルムのようなデータ記録媒体の種類情報を得る手段）、１６…シャッタ制御回路（シャッタ制御機構）、１７…ミラー制御回路、１８…チャージ回路、１９…フィルム給送回路、２０…ストロボ制御回路（発光指令手段）、２１…データバック制御回路（データ記録手段、データ記録装置）、３１…データ記録回路（データ記録手段、データ記録装置）、３２…メモリ（記憶手段）、３３…計時回路（計時手段）。
【図１】
0003709673.tif 000002
【図２】
0003709673.tif 000003
【図３】
0003709673.tif 000004